(57)【要約】【課題】運搬が容易で、かつ湾曲ブロック積に適用しやすい擁壁用基礎ブロックを提供する。【解決手段】ブロック積擁壁の基礎として複数個並べて使用されるコンクリート製の擁壁用基礎ブロックであって、上面は平坦で、底面は前記上面に平行で、背面は正面より幅が狭く左右側面で接続し、前記背面は前記正面より高さが低く、前記上面端から背面上部に向け傾斜した傾斜面を備え、平面視台形かつ断面台形であり、前記正面及び背面には、隣り合う擁壁用基礎ブロックを連結部材で連結するときに用いるボルトを螺合するインサートが穿設され、前記背面が土砂側に向けられ配置されることを特徴とする擁壁用基礎ブロックとした。【選択図】図９
0003203008.tif 000002
【実用新案登録請求の範囲】
【請求項１】
ブロック積擁壁の基礎として複数個並べて使用されるコンクリート製の擁壁用基礎ブロックであって、
上面は平坦で、底面は前記上面に平行で、背面は正面より幅が狭く左右側面で接続し、前記背面は前記正面より高さが低く、前記上面端から背面上部に向け傾斜した傾斜面を備え、平面視台形かつ断面台形であり、前記正面及び背面には、隣り合う擁壁用基礎ブロックを連結部材で連結するときに用いるボルトを螺合するインサートが２箇所設けられ、前記背面が土砂側に向けられ配置されることを特徴とする擁壁用基礎ブロック。
【考案の詳細な説明】
【技術分野】
【０００１】
本考案は、河川、港湾、道路等のブロック積擁壁の基礎として複数個を並べて敷設される擁壁用基礎ブロックに関する。
【背景技術】
【０００２】
従来から擁壁用基礎ブロックは流通している。例えば、特許文献１の擁壁用基礎ブロックは、主として堰堤や擁壁の表面ブロックを積重併設施工する際の基礎ブロックであり、側面視正面寄り凹部に表面ブロックの凸部を嵌合し、該表面ブロックの背面側で接続金具にて連結され、平面視中央付近には上下に貫通した略長方形の穴があり、この穴にコンクリートが流れ込むことにより地盤とズレ止め効果が増大するというものである。
【０００３】
しかしながら、接続金具のボルトが螺合するインサートは平面にあり、運搬時の吊り下げの際の引っかけとして使用しづらく、平面視長方形であり、湾曲状の土砂への適用には一の形状の接続金具で接続できず好ましくない。
【先行技術文献】
【特許文献】
【０００４】
【特許文献１】意匠登録第１１６０１０３号公報
【考案の概要】
【考案が解決しようとする課題】
【０００５】
そこで、本考案は、運搬が容易で、かつ湾曲した擁壁に適用したときの隣り合う擁壁用基礎ブロックの連結も容易な、河川、港湾、道路等のブロック積擁壁の基礎として複数個を並べて敷設される擁壁用基礎ブロックを提供することを目的とする。
【課題を解決するための手段】
【０００６】
本考案は、上記の課題を解決するために、
ブロック積擁壁の基礎として複数個並べて使用されるコンクリート製の擁壁用基礎ブロックであって、
上面は平坦で、底面は前記上面に平行で、背面は正面より幅が狭く左右側面で接続し、前記背面は前記正面より高さが低く、前記上面端から背面上部に向け傾斜した傾斜面を備え、平面視台形かつ断面台形であり、前記正面及び背面には、隣り合う擁壁用基礎ブロックを連結部材で連結するときに用いるボルトを螺合するインサートが２箇所設けられ、前記背面が土砂側に向けられ配置されることを特徴とする擁壁用基礎ブロックの構成とした。
【考案の効果】
【０００７】
本考案は上記のように、予め成形されたコンクリート製の擁壁用基礎ブロックであるので、施工場所で、枠組、コンクリートの打設、乾燥、枠撤去などの工程を必要しないため、ブロック積擁壁の施工期間を短縮することができる。インサートを正面、背面にそれぞれ２箇所備えることで、運搬時には、吊り下げの際の引っかけ部となり運搬が容易で、敷設後は、隣り合う擁壁用基礎ブロックを連結部材で連結するときに用いるボルトの螺合穴となり、連結が容易である。正面より背面の幅が狭いため、左右側面は背面に向け斜めになり、図９に示すように、湾曲した擁壁の形状に追随して、基礎を湾曲させ、湾曲した連結部材で連結できるため、汎用性が高い。
【図面の簡単な説明】
【０００８】
【図１】本考案である擁壁用基礎ブロックの正面図である。
【図２】本考案である擁壁用基礎ブロックの背面図である。
【図３】本考案である擁壁用基礎ブロックの左側面である。
【図４】本考案である擁壁用基礎ブロックの右側面である。
【図５】本考案である擁壁用基礎ブロックの平面図である。
【図６】本考案である擁壁用基礎ブロックの底面図である。
【図７】本考案である擁壁用基礎ブロックの正面図のＡ−Ａ‘断面図である。
【図８】本考案である擁壁用基礎ブロックの上部に擁壁用ブロックを積み上げたときの使用状態を示すＡ−Ａ‘での断面図である。
【図９】本考案である擁壁用基礎ブロックを複数個並べたときの使用状態を示す平面図である。
【図１０】本考案である擁壁用基礎ブロックの背面側の斜視図である。
【考案を実施するための形態】
【０００９】
以下、添付の図面を参照し、本考案の実施の形態の一例について詳細に説明する。なお、本考案は下記実施例に限定されるものではない。
【実施例１】
【００１０】
図１〜図９に示すように、本考案である擁壁用基礎ブロックは、ブロック積擁壁の基礎として複数個並べて使用されるコンクリート製の擁壁用基礎ブロックであって、上面は平坦で、底面は前記上面に平行で、背面は正面より幅が狭く左右側面で接続し、前記背面は前記正面より高さが低く、前記上面端から背面上部に向け傾斜した傾斜面を備え、平面視台形かつ断面台形であり、前記正面及び背面には、隣り合う擁壁用基礎ブロックを連結部材で連結するときに用いるボルトを螺合するインサートが２箇所設けられ、前記背面が土砂側に向けられ配置されることを特徴とする。インサートは、端部よりに、それぞれ２箇所設ける。インサートは、内側にボルトに螺合するネジ山が切られた筒である。
【００１１】
図８に示すように、擁壁は、本考案である擁壁用基礎ブロックの上に、擁壁ブロックを積み上げる。擁壁用基礎ブロックは、隣り合う擁壁用基礎ブロックを連結部材で連結される。正面は反土砂側の道路などの地面側に向けられる。
【００１２】
図９に示すように、擁壁用基礎ブロックは、図９（Ａ）に示すように直線状にも、（Ｂ）に示す用に湾曲状にも連結することができる。直線状に配置する場合には、平坦な板状の連結部材を用い、ボルトをインサートに螺合して、連結部材を擁壁用基礎ブロックに固定すればよい。湾曲状に配置する場合には、屈曲した連結部材を用いボルトをインサートに螺合して、連結部材を擁壁用基礎ブロックに固定すればよい。
【００１３】
擁壁用基礎ブロックは、上面を下とする型枠でコンクリートを成型し、抜き取れば容易に成型することができる。コンクリートの打設時に、インサートを埋設すれば、インサートを擁壁用基礎ブロック容易に設けることができる。
【図１】
0003203008.tif 000003
【図２】
0003203008.tif 000004
【図３】
0003203008.tif 000005
【図４】
0003203008.tif 000006
【図５】
0003203008.tif 000007
【図６】
0003203008.tif 000008
【図７】
0003203008.tif 000009
【図８】
0003203008.tif 000010
【図９】
0003203008.tif 000011
【図１０】
0003203008.tif 000012